(57)【要約】【課題】折板屋根Ｒの上に緑化基盤材４０を配置して屋上緑化を行うような場合に必要とされる見切り材３０に対する新たな固定構造を提供する。また、新たな見切り材３０の固定構造を備えた折板屋根の緑化構造を提供する。【解決手段】折板屋根の上に断面Ｃ型フレーム材１０をその開口側を屋根板２側として軒先に平行に固定する。固定した断面Ｃ型フレーム材１０の長手方向に沿うようにして第１の見切り材３０を固定する。隣接する断面Ｃ型フレーム材１０，１０の間に断面Ｃ型フレーム材１０の高さとほぼ同じ厚さの断熱材２０を配置し、配置した断熱材２０を長尺状の押さえ板２１により上から押さえ付ける。長尺状の押さえ板２１には固定具２３を立設して、固定具２３を利用して緑化基盤材４０を固定する。【選択図】図５
2009144380.tif 000002
【特許請求の範囲】
【請求項１】
軒先に直交する方向に間隔をおいて複数本の凸条を有している折板屋根の上に、断面Ｃ型フレーム材がその開口側を屋根側として軒先に平行に固定されており、前記断面Ｃ型フレーム材には断面Ｃ型フレーム材の長手方向に沿うようにして第１の見切り材が固定されていることを特徴とする折板屋根への見切り材固定構造。
【請求項２】
前記請求項１に記載の見切り材固定構造を備えた折板屋根の緑化構造であって、前記断面Ｃ型フレーム材は軒先に平行に複数固定されており、前記断面Ｃ型フレーム材における最も軒先側に位置する断面Ｃ型フレーム材に前記第１の見切り材が固定されており、互いに隣接する断面Ｃ型フレーム材の間には該断面Ｃ型フレーム材の高さとほぼ同じ厚さの断熱材が折板屋根の上に配置されていて、それにより折板屋根面はフラット化されており、該フラット化された屋根面には植裁基盤材が配置されている構成を少なくとも備えることを特徴とする折板屋根緑化構造。
【請求項３】
請求項２に記載の折板屋根緑化構造であって、前記断熱材の上には、前記断面Ｃ型フレーム材と交叉する方向の長尺状の押さえ板が前記断面Ｃ型フレーム材を利用して固定されていることを特徴とする折板屋根緑化構造。
【請求項４】
請求項３に記載の折板屋根緑化構造であって、前記長尺状の押さえ板は前記植裁基盤材の軒先方向のピッチに一致するようにして前記断面Ｃ型フレーム材を利用して固定されており、前記長尺状の押さえ板には、前記植裁基盤材の軒先方向に直交する方向のピッチに一致する位置に複数本の固定具が固定されており、前記植裁基盤材は前記固定具を利用してフラット化された屋根面に固定されていることを特徴とする折板屋根緑化構造。
【請求項５】
請求項２から４のいずれか１項に記載の折板屋根緑化構造であって、前記断面Ｃ型フレーム材の両端部には断面Ｃ型フレーム材の両端部を利用して軒先方向に直交する方向の第２の見切り材が取り付けられていることを特徴とする折板屋根緑化構造。
【請求項６】
前記断面Ｃ型フレーム材は、折板屋根の前記凸条に位置する屋根板用固定具に連接した第２の固定具およびまたは折板屋根の前記凸条に別途固定した第３の固定具を利用して、折板屋根に固定されていることを特徴とする請求項１に記載の折板屋根への見切り材固定構造。
【請求項７】
前記断面Ｃ型フレーム材は、折板屋根の前記凸条に位置する屋根板用固定具に連接した第２の固定具およびまたは折板屋根の前記凸条に別途固定した第３の固定具を利用して、折板屋根に固定されていることを特徴とする請求項２から５のいずれか１項に記載の折板屋根緑化構造。
【発明の詳細な説明】
【技術分野】
【０００１】
本発明は、軒先に直交する方向に間隔をおいて複数本の凸条を有している折板屋根に見切り材を固定した折板屋根への見切り材固定構造と、該見切り材固定構造を備えた折板屋根の緑化構造に関する。
【背景技術】
【０００２】
屋内の温度上昇を抑制しかつ景観を向上させる等の目的で、屋根や屋上に植物を栽培して屋上を緑化することが行われる。屋根や屋上に土壌層を有する植栽層を直接配置することもあり、発泡樹脂などで作られた保水性と排水性を備えた緑化基盤材を屋根や屋上に設置し、その上に植栽層を形成することもある。緑化基盤材等の外縁部にはステンレス鋼板等からなる見切り材が取り付けられ、緑化基盤材等の安定化と外観意匠性の向上が図られる。
【０００３】
屋根や屋上の面が平坦面の場合には、緑化基盤材や見切り材を容易にかつ安定的に、そこに配置することができる。しかし、図１に示すように、軒先に直交する方向に間隔をおいて複数本の凸条を有している折板屋根の場合には、配置面（屋根面）が凹凸面であることから、それらを安定的に固定するために特別の技術的手段が講じられる。
【０００４】
例えば、特許文献１には、折板屋根の複数本の凸条の頂部にその長手方向に沿って根太フレームを固定し、複数本の根太フレームにわたって金網を平坦に敷設固定してフラットな折板屋根構造とし、根太フレームを利用して、植裁マットの外縁を保持する仕切り材と軒先側近傍に軒先方向の見切り材を固定すると共に、平坦に敷設された金網の上に緑化基盤材を固定するようにした屋上緑化構造が記載されている。
【０００５】
また、特許文献２には、折板屋根の凸条の上に断熱材を敷き詰めてフラット化し、敷き詰めた断熱材の上に、凸条に平行に長尺状の断熱材押さえ板を置き、該長尺状の断熱材押さえ板を、折板屋根の凸条に位置する屋根板用固定ボルトに一端を固定したピッチ調整治具の他端側に接続することにより、軒先方向のピッチを調節できるようにして取り付け、該ピッチを調整して固定した断熱材押さえ板に、軒先方向に直交する方向に所定ピッチで固定ボルト立設し、該立設した固定ボルトを利用して、植裁基盤材をフラット化した屋根面の上に固定するようにした折板屋根の緑化構造が記載されている。
【０００６】
【特許文献１】特開２００４−１３５６５０号公報
【特許文献２】特開２００６−２７４７５９号公報
【発明の開示】
【発明が解決しようとする課題】
【０００７】
特許文献１に記載のように、屋上緑化において軒先側に見切り材を固定することにより植裁マット等の安定化を図ることができる。また、景観も向上する。しかし、ここでの見切り材の固定は、折板屋根の凸条にその長手方向に沿って固定した根太フレームを利用して行っており、見切り材を固定するための固定具の取り付け位置が制約を受ける。また、金網を採用したフラット化構造では、排水性は向上するが、屋根面からの照り返しによって下面から熱が侵入し、植裁マットの土壌や植裁部の乾燥が促進され、植物の生育障害を起こす恐れがある。
【０００８】
特許文献２に記載の折板屋根緑化構造では、断熱材により折板屋根面をフラット化しており、照り返しによる植物の生育障害等は回避できる。しかし、前記したピッチ調整治具を取り付けるのに、敷き詰めた断熱材にピッチ調整治具を通過させるための開口部を形成することが必要であり、現場作業がやや煩雑化している。また、植裁基盤材の端部処理については言及されていない。
【０００９】
本発明は、上記のような事情に鑑みてなされたものであり、折板屋根の上に緑化基盤材を配置して屋上緑化を行うような場合に必要とされる見切り材に対する新たな固定構造を提供することを第１の課題とする。また、前記新たな見切り材の固定構造を備えた折板屋根の緑化構造を提供することを第２の課題とする。
【課題を解決するための手段】
【００１０】
本発明による折板屋根への見切り材の固定構造は、軒先に直交する方向に間隔をおいて複数本の凸条を有している折板屋根の上に、断面Ｃ型フレーム材がその開口側を屋根側として軒先に平行に固定されており、前記断面Ｃ型フレーム材には断面Ｃ型フレーム材の長手方向に沿うようにして第１の見切り材が固定されていることを特徴とする。
【００１１】
上記の見切り材固定構造は、軒先に平行に断面Ｃ型フレーム材が固定されており、その断面Ｃ型フレーム材に対して見切り材が固定されている構成であり、見切り材を断面Ｃ型フレーム材に対して固定する固定具の位置を、断面Ｃ型フレーム材の長手方向における任意の位置から選択することができる。そのために、見切り材の固定処理は極めて容易となる。また、堅固な見切り材固定構造が得られる。
【００１２】
本発明による折板屋根緑化構造は、上記した見切り材固定構造を備えた折板屋根の緑化構造であって、前記断面Ｃ型フレーム材は軒先に平行に複数固定されており、前記断面Ｃ型フレーム材における最も軒先側に位置する断面Ｃ型フレーム材には前記第１の見切り材が固定されており、互いに隣接する断面Ｃ型フレーム材の間には該断面Ｃ型フレーム材の高さとほぼ同じ厚さの断熱材が折板屋根の上に配置されていて、それにより折板屋根面はフラット化されており、該フラット化された屋根面には植裁基盤材が配置されている構成を少なくとも備えることを特徴とする。
【００１３】
この折板屋根緑化構造では、折板屋根は断熱材によってフラット化されており、屋根面からの照り返しによる熱の伝わりは、断熱材によって遮断される。そのために、フラット化した屋根面に植裁基盤材を配置して植生を行うときに、植裁基盤材に置かれる土壌や植物に乾燥障害が生じるのを回避できる。また、配置した植裁基盤材の軒先側は、前記第１の見切り材によって支持されるので、植裁基盤材あるいは土壌等が不用意に軒先側に落下するのを確実に抑制できる。
【００１４】
本発明による折板屋根緑化構造の一態様では、前記断熱材の上に、前記断面Ｃ型フレーム材と交叉する方向に長尺状の押さえ板が前記断面Ｃ型フレーム材を利用して固定されている。この態様では、隣接する断面Ｃ型フレーム材間に配置された断熱材が前記長尺状の押さえ板によって押さえ付けられるので、断熱材の折板屋根面に対する配置は一層安定する。そのために、折板屋根の上に構築される緑化構造体全体に対して、負圧（風荷重）に対する充分な強度を確保することができる。長尺状の押さえ板は、必要な強度を備えることを条件に、任意の材料で作ることができるが、コストの面や取り扱い易さから、金属材料や樹脂材料が好ましい。
【００１５】
上記した長尺状の押さえ板を用いた本発明による折板屋根緑化構造の一態様において、前記長尺状の押さえ板は、前記植裁基盤材の軒先方向のピッチに一致するようにして前記断面Ｃ型フレーム材を利用して固定され、前記長尺状の押さえ板には、前記植裁基盤材の軒先方向に直交する方向のピッチに一致する位置に複数本の固定具が固定される。そして、前記植裁基盤材は前記固定具を利用してフラット化された屋根面に固定されている。
【００１６】
上記態様の折板屋根緑化構造では、その現場施工に際して、前記長尺状の押さえ板の軒先方向のピッチを、配置しようとする植裁基盤材の軒先方向のピッチ（長さ）と一致させながら前記断面Ｃ型フレーム材に対して固定し、さらに、前記固定した押さえ板に前記植裁基盤材の軒先方向と直交する方向のピッチ（長さ）と一致させながらスタッドボルトのような固定具を取り付けていくことにより、矩形状である任意の大きさの植裁基盤材をフラット化した屋根面に、安定して固定することができる。なお、この態様において、固定しようとする植裁基盤材の軒先方向と直交する方向のピッチ（長さ）と一致したピッチであらかじめスタッドボルトのような固定具を取り付けた長尺状の押さえ板を用いることもできる。
【００１７】
本発明による折板屋根緑化構造の他の態様において、前記断面Ｃ型フレーム材の両端部に、断面Ｃ型フレーム材の両端部を利用して軒先方向に直交する方向の第２の見切り材を取り付けるようにしてもよい。それにより、軒先方向に直交する方向へ土壌が流亡するのを確実に抑制することができる。また、第１と第２の見切り材で４周を囲い込むことにより、折板屋根緑化構造の外観意匠を向上させることができる。
【００１８】
本発明による折板屋根への見切り材固定構造および折板屋根緑化構造において、前記断面Ｃ型フレーム材を折板屋根の凸条の上に固定する方法は任意であり制限はない。施工の容易性から、前記断面Ｃ型フレーム材を、折板屋根の前記凸条に位置している屋根板用固定具（例えば、屋根板固定用ボルト）に連接した第２の固定具（例えば、高ナットとそこに螺入する長ボルトや座金付きボルト等）、およびまたは折板屋根の前記凸条に別途固定した第３の固定具（例えば、スタッドボルト等）を利用して、折板屋根に固定することは好ましい態様である。この態様において、前記第３の固定具は、折板屋根の凸条に位置する屋根板用固定具が腐食あるいは破損していて、そこに第２の固定具を安定した状態に固定できないときに用いられる。第３の固定具は、折板屋根の凸条の上に接着剤あるいは溶着等により固定する。
【００１９】
本発明による折板屋根への見切り材固定構造および折板屋根緑化構造において、前記断面Ｃ型フレーム材は、例えばＣ型鋼あるいは断面Ｃ型の樹脂押出成形品のように市販されている既存のものを用いることができる。そのために、より容易にかつ低コストで折板屋根への見切り材固定構造および折板屋根緑化構造を構築することができる。また、断面Ｃ型フレーム材は、折板屋根の前記凸条から飛び出ている屋根板用固定具を前記Ｃ型の開口部内に収容した姿勢で折板屋根の上に置くことができるので、断面Ｃ型フレーム材の折板屋根面への配置も容易であり、隙間のない状態で断熱材を敷き詰めることができる。
【００２０】
本発明による折板屋根緑化構造において、前記断熱材には、軽量化の目的から発泡樹脂板が用いられるが、他の材料であってもよい。発泡樹脂板の場合、発泡ポリスチレン、発泡ポリプロピレン、発泡ポリエチレン、発泡ポリウレタン、発泡ポリ塩化ビニル、等が例として挙げられる。
【００２１】
また、本発明による折板屋根緑化構造において、配置された断熱材の上に、断熱材を保護するための適宜の保護層を形成することもできる。保護層には、亜鉛メッキ鋼板のような耐食性・耐候性に優れた金属板、塩化ビニル系樹脂シートやアスファルト系シートのような防水性シート、ポリウレタン系樹脂やアクリル系樹脂からなる被覆材、あるいはそれらを積層したものが挙げられる。また、保護層は、断熱材を屋根板に配置した後に、断熱材の上に積層固定するようにしてもよく、あらかじめ保護層を一体に積層した断熱材を用い、断熱材の配置と保護層の積層とが同時に行われるようにしてもよい。
【発明の効果】
【００２２】
本発明によれば、折板屋根の上に緑化基盤材を配置して屋上緑化を行うとき等に必要となる見切り材を、容易かつ安定した状態で折板屋根の上に取り付けた、見切り材の取り付け構造が得られる。また、その見切り材取り付け構造を備えた折板屋根緑化構造が得られる。
【発明を実施するための最良の形態】
【００２３】
以下、図面を参照しながら、本発明を実施の形態に基づき説明する。図１は折板屋根を説明する図であり、図２は本発明による折板屋根への見切り材固定構造を説明する図である。図３〜図５は本発明による折板屋根緑化構造の施工手順を説明する図であり、図６は本発明による折板屋根緑化構造の一例を説明する平面図、図７はそれを軒先側から見て示す図である。図９は本発明による折板屋根緑化構造の一例における第２の見切り材を説明するとともに、植裁層を備えた状態の折板屋根緑化構造をも説明するための図である。
【００２４】
最初に、本発明による折板屋根への見切り材固定構造について説明する。図１に示すように、折板屋根Ｒは、軒先に直交する方向（屋根勾配方向）に間隔をおいて多数の凸条３を有しており、各凸条３の頂部３ａは平坦面となっている。建物の梁１の上に取り付け具４が取り付けられ、そこに固定ボルト５を立設し、この固定ボルト５に屋根板２に貫通させて固定用ナット６で締め付けることで、屋根板２を屋根躯体に固定している。隣接する屋根板２，２同士の縁部を重ね合わせて、他の固定ボルト５および固定用ナット６で連接されている箇所もある。本発明において、これらの固定ボルト５および固定用ナット６を「屋根板用固定具」といっている。
【００２５】
本発明による折板屋根への見切り材固定構造を施工するに際し、最初に、折板屋根Ｒ上の第１の見切り材３０を取り付けようとする位置に、断面Ｃ型フレーム材１０をその開口側が屋根板２側となるようにして、軒先に平行に固定する。固定に際し、図２に示すように、断面Ｃ型フレーム材１０を固定すべき位置にある前記屋根板用の固定ボルト５の先端に高ナット７を取り付け、その高ナット７に長ネジ８をねじ込む。長ネジ８の長さは、固定しようとする断面Ｃ型フレーム材１０の高さに応じたものを選択する。軒先と平行に位置する所要個数の固定ボルト５に同じようにして高ナット７と長ネジ８を取り付ける。
【００２６】
固定しようとする断面Ｃ型フレーム材１０は、例えばＣ型鋼であり、好ましくは、表側１１における、固定時に前記長ネジ８に対向する位置に穴１２を開けておく。現場施工時に穴１２を形成するようにしてもよい。固定に際し、前記断面Ｃ型フレーム材１０を、前記のように開口側が屋根板２側とし、かつ開口内に前記長ネジ８が入り込むようにして、凸条３・・の頂部平坦面３ａの上に、軒先に平行となるようにして置き、前記穴１２に長ネジ８を貫通させる。そして、長ネジ８の突き出た部分にナット９を締め付ける。この作業により、折板屋根Ｒに対する断面Ｃ型フレーム材１０の固定作業は終了する。
【００２７】
図示しないが、座金付き長ボルトを用いることもできる。この場合には、前記長ネジ８は使用せずに、前記屋根板用の固定ボルト５の先端に高ナット７を取り付けた状態で、前記のようにして断面Ｃ型フレーム材１０を配置し、断面Ｃ型フレーム材１０の上から座金付き長ボルトを高ナット７に対してねじ込むようにする。
【００２８】
なお、前記した、高ナット７、長ネジ８（座金付き長ボルト）、ナット９等が、本発明でいう「第２の固定具」の一例に相当する。また、屋根板を固定している固定ボルト５が腐食等によって使用できない箇所がある場合には、図示しないが、凸条３の頂部３ａにスタットボルトのような部材を接着や溶着等の適宜の手段で立設固定し、それを利用して断面Ｃ型フレーム材１０を固定する。この場合、新たに凸条３の頂部３ａに取り付けた固定手段が、本発明でいう「第３の固定具」に相当する。
【００２９】
上記のようにして固定した断面Ｃ型フレーム材１０に対して、第１の見切り材３０を固定する。図２はその固定構造の一例を示している。この例で、第１の見切り材３０は、断面Ｃ型フレーム材１０の高さよりも立ち上がり幅が大きい平板状の前板３１と、そこに連接する天板３２とを有し、横幅方向の長さは断面Ｃ型フレーム材１０の長さにほぼ等しい。なお、天板３２は省略してもよい。また、この例では、固定に際して、断面Ｌ型の固定補助具３５を用いている。固定補助具３５は垂直部３６と水平部３７とを有し、その水平部３７をビス３８等を用いて断面Ｃ型フレーム材１０に固定することで、固定補助具３５を断面Ｃ型フレーム材１０に固定する。なお、前記長ネジ８あるいは前記した座金付き長ボルトを利用して、固定補助具３５を断面Ｃ型フレーム材１０に固定してもよい。
【００３０】
次に、固定された固定補助具３５の垂直部３６に対して前記平板状の前板３１をボルトナットのような固定具３９を用いて固定することにより、前記第１の見切り材３０を断面Ｃ型フレーム材１０に対して固定する。このような固定補助具３５を用いることにより、安定した状態で第１の見切り材３０を断面Ｃ型フレーム材１０に固定することができる。立ち上がり幅が小さい第１の見切り材３０の場合には、固定補助具３５を用いずに、断面Ｃ型フレーム材１０の側面に直接ビス等の固定具を用いて固定するようにしてもよい。
【００３１】
いずれの場合も、断面Ｃ型フレーム材１０に対して第１の見切り材３０を固定するためのボルトナットあるいはビス等の固定具の取り付け位置として、あらかじめ屋根面に固定してある断面Ｃ型フレーム材１０の長さ方向の任意の位置を選択できるので、第１の見切り材３０の固定作業は容易であり、かつ安定した固定状態が得られる。なお、固定補助具３５を用いる場合、固定補助具３５の長さは第１の見切り材３０の長さとほぼ同じ長さのものであってもよく、より横幅の狭い固定補助具３５の複数個を間隔をおいて断面Ｃ型フレーム材１０に固定する態様でもよい。
【００３２】
次に、上記のようにして折板屋根面に固定した第１の見切り材３０を用いて、折半屋根を緑化する構造について説明する。最初に、図３に示すように、前記した断面Ｃ型フレーム材１０の複数本を所定の間隔を置いて折板屋根面に固定する。なお、各断面Ｃ型フレーム材１０の固定方法は図２に基づき説明したと同様である。また、図３に示すように、最も軒先側に位置する断面Ｃ型フレーム材１０に対し、前記したようにして第１の見切り材３０を固定する。
【００３３】
次に、図４に示すように、互いに隣接する断面Ｃ型フレーム材１０、１０の間に、断面Ｃ型フレーム材１０の高さとほぼ同じ厚さの、例えば発泡樹脂板である断熱材２０を配置する。なお、断熱材２０の軒先方向に直交する方向の長さｄが予めわかっている場合には、互いに隣接する断面Ｃ型フレーム材１０、１０の間の距離が前記長さｄとなるようにして、断面Ｃ型フレーム材１０を折板屋根面に固定する。断面Ｃ型フレーム材１０を折板屋根面に固定した後に、その間の距離に合わせて、断熱材２０の切除作業を行うようにしてもよい。
【００３４】
折板屋根面における所要面積に亘って必要枚数の断熱材２０を敷き詰め配置することにより、図４に示すように、折板屋根の上面はフラット化される。断熱材２０の折板屋根面への固定は、特に行わなくてもよく、行う場合には、接着剤によってもよく、断熱材２０と断面Ｃ型フレーム材１０の間の摩擦力によってもよい。
【００３５】
次に、図５に示すように、断面Ｃ型フレーム材１０と交叉する方向に長尺状の押さえ板２１を固定する。固定にあたっては、フラット化した屋根面の中央位置あるいは一方の側縁位置に、１本の長尺状の押さえ板２１を配置した後、該長尺状の押さえ板２１と既に固定してある断面Ｃ型フレーム材１０の交叉部にビス２２や座金付きビス等をねじ込む。それにより、最初の長尺状の押さえ板２１が断面Ｃ型フレーム材１０に対して固定される。
【００３６】
次に、最初に固定した長尺状の押さえ板２１から、緑化に使用する植裁基盤材４０の軒先方向のピッチに一致する間隔を置くようにして、所要本数の長尺状の押さえ板２１を、最初に固定した長尺状の押さえ板２１と同様に断面Ｃ型フレーム材１０に対して固定する。それにより、フラット化した屋根面の上には、軒先方向に所定の間隔をおいて、所要本数の長尺状の押さえ板２１が固定され、該固定された複数本の長尺状の押さえ板２１により、先に配置した断熱材２０は、折板屋根面に対して安定した状態に固定される。
【００３７】
次に、前記固定した長尺状の押さえ板２１に対して、前記植裁基盤材４０の軒先方向に直交する方向のピッチに一致する位置に、所要本数の固定具（スタッドボルト等）２３を立設する。なお、図示しないが、固定しようとする植裁基盤材４０の軒先方向と直交する方向のピッチ（長さ）と一致したピッチであらかじめスタッドボルトのような前記固定具２３を取り付けた長尺状の押さえ板２１を用いてもよい。
【００３８】
図６は、上記のようにして構成したフラット化した折板屋根の上に植裁基盤材４０を取り付けた状態の一例を示す平面図であり（なお、わかり易さのために、最も軒先側の植裁基盤材４０は図示していない）、図７はそれを軒先方向から見て示している。ここで、植裁基盤材４０は、軒先方向の幅（ピッチ）が「ａ」、軒先方向と直交する方向の長さ（ピッチ）が「ｂ」の寸法である矩形状の発泡樹脂成形品であり、図８にその一部を示すように、保水用空間４１と植生層等の支持体４２を有し、周壁部には互いに嵌合する接続用凹凸部４３が形成されている。
【００３９】
図６において、最も側縁側の長尺状の押さえ板２１ａを除き、各長尺状の押さえ板２１は前記ａのピッチで軒先方向に固定具８を用いて固定されており、各固定された長尺状の押さえ板２１には軒先方向に直交する方向に前記ｂのピッチで固定具２３が立設されている。従って、図７の軒先方向から見た断面図、および図８に拡大して示す部分図に示すように、前記固定具２３を利用することにより、軒先方向の幅がａ、軒先方向と直交する方向の長さがｂの寸法である植裁基盤材４０の必要枚数を、フラット化した折板屋根の上に安定して固定することができる。なお、前記した側端側の長尺状の押さえ板２１ａは省略することができる。
【００４０】
図９は、上記のようにしてフラット化した折板屋根の上に植裁基盤材４０を固定したときの、軒先方向と直交する側の端部を示している。ここでは、前記した断面Ｃ型フレーム材１０の端部を利用して第２の見切り材５０を取り付けている。この例で、第２の見切り材５０は、第１の見切り材３０と同様、平板状の側板５１と、そこに連接する天板５２とを有し、断面Ｃ型フレーム材１０の端部に固定に際して、断面Ｌ型の固定補助具５５を用いている。固定補助具５５は垂直部５６と水平部５７とを有し、水平部５７をビス５８等を用いて断面Ｃ型フレーム材１０に固定することにより、固定補助具５５を断面Ｃ型フレーム材１０に固定している。そして、固定された固定補助具５５の垂直部５６に対して前記平板状の前板５１をボルトナットのような固定具５９を用いて固定することにより、前記第２の見切り材５０を断面Ｃ型フレーム材１０の側端部に固定している。なお、図示しないが、断面コ字状をなす第２の見切り材５０を用いる場合には、固定補助具５５を用いることなく、断面Ｃ型フレーム材１０の側端部に固定することができる。
【００４１】
このように、第１の見切り材３０に加えて第２の見切り材５０を用いて、フラット化した折板屋根の上に固定した植裁基盤材４０の群の４周囲を囲うことにより、折板屋根緑化構造の外観意匠を向上させることができる。
【００４２】
なお、図９において、４０は前記した植裁基盤材（植裁基盤材群）であり、６０は植生層である。このように植生層６０を植裁基盤材（植裁基盤材群）４０の上に形成することにより、施工現場において折板屋根緑化構造が完成する。折板屋根緑化構造において、断熱材２０と植裁基盤材（植裁基盤材群）４０との間には適宜の根止めシート６１を配置して、植物の根により断熱材２０や折板屋根Ｒが損傷するのを防止することが推奨される。
【００４３】
さらに、固定した緑化基盤材４０の上には土壌流出防止用の好ましくは根止め機能を備えた不織布６２を敷き、その上に、従来知られた適宜の植生層６０を配置することが好ましい。さらに、植生層６０の上面に土壌の吹き飛び防止ネット６３を設置することは望ましく、該ネットを植生基盤材４０の固定に用いたスタッドボルト２３で固定することにより、折板屋根緑化構造体全体の安定化を図ることもできる。
【００４４】
このようにして構築した折板屋根緑化構造の上から散水すると、水は植生層６０を透過して緑化基盤材４０の保水用空間４１（図８参照）に溜まり、その水は植裁層６０に植生した植物の生育を助ける。また、雨水を含む余分な水は、緑化基盤材４０をオーバーフローして流下する。
【００４５】
図示しないが、各緑化基盤材４０の中に植裁層６０の下面に接する形のスポンジのように水分吸い上げ材を置くようにしてもよく、この場合、保水用空間４１の底部にある水を植裁層６０に向けて吸い上げることができる利点がある。
【図面の簡単な説明】
【００４６】
【図１】折板屋根を説明する図。
【図２】本発明による折板屋根への見切り材固定構造を説明する図。
【図３】本発明による折板屋根緑化構造の施工手順を説明する第１の図。
【図４】本発明による折板屋根緑化構造の施工手順を説明する第２の図。
【図５】本発明による折板屋根緑化構造の施工手順を説明する第３の図。
【図６】本発明による折板屋根緑化構造の一例を説明する平面図。
【図７】図６に示す折板屋根緑化構造を軒先側から見て示す図（但し、第１の見切り材は示されない）。
【図８】本発明による折板屋根緑化構造における緑化基盤材とその固定態様を説明するための拡大斜視図。
【図９】本発明による折板屋根緑化構造の一例における第２の見切り材および植裁層を備えた状態の折板屋根緑化構造の一つの具体例を説明するための図。
【符号の説明】
【００４７】
Ｒ…折板屋根、３…折板屋根の凸条、３ａ…凸条の頂部、５…屋根板固定ボルト（屋根板用固定具）、７…高ナット、８…長ネジ、９…ナット、１０…断面Ｃ型フレーム材、２０…断熱材、２１…長尺状の押さえ板、２２…ビス、２３…植裁基盤材用の固定具、３０…第１の見切り材、３１…平板状の前板、３２…天板、３５…固定補助具、３６…垂直部、３７…水平部、３９…固定具、４０…植裁基盤材、４１…保水用空間、４２…植生層等の支持体、４３…接続用凹凸部、５０…第２の見切り材、５１…平板状の側板、５２…天板、５５…固定補助具、５６…垂直部、５７…水平部、５９…固定具、６０…植生層、６１…根止めシート、６２…不織布、６３…吹き飛び防止ネット
【図１】
2009144380.tif 000003
【図２】
2009144380.tif 000004
【図３】
2009144380.tif 000005
【図４】
2009144380.tif 000006
【図５】
2009144380.tif 000007
【図６】
2009144380.tif 000008
【図７】
2009144380.tif 000009
【図８】
2009144380.tif 000010
【図９】
2009144380.tif 000011